(57)【要約】      （修正有）【課題】アークを発生することなく取り外すことを可能にしたコネクタを提供する。【解決手段】電力配線を接続するための対となる接続部を有する電力用コネクタ２００であって、電力変換ユニットと前記電力装置との双方に取り付けられる、電力用コネクタ２１２，２２２と、電力変換ユニットと前記電力装置との双方に固定された状態で取り付けられる、制御用コネクタ２１１，２２１とを備え、電力用コネクタと制御用コネクタとは、電力変換ユニットと電力装置とを接続する方向に対して並列に配置され、電力用コネクタは、電力変換ユニットと電力装置との少なくとも一方に弾性体２１３を介して取り付けられ、電力変換ユニットからの突出部分の長さと電力装置からの突出部分の長さとの合計が、制御用コネクタの前記電力変換ユニットからの突出部分の長さと電力装置からの突出部分の長さとの合計よりも長いことを特徴とする。【選択図】図２
2014102927.tif 000002
【特許請求の範囲】
【請求項１】
電力変換ユニットと電力装置とを接続する電源コネクタであって、
電力配線を接続するための対となる接続部を有する電力用コネクタであって、前記電力変換ユニットと前記電力装置との双方に取り付けられる、電力用コネクタと、
制御信号配線を接続するための対となる接続部を有する制御用コネクタであって、前記電力変換ユニットと前記電力装置との双方に固定された状態で取り付けられる、制御用コネクタと、
を備え、
前記電力用コネクタと制御用コネクタとは、電力変換ユニットと電力装置とを接続する方向に対して並列に配置され、
前記電力用コネクタは、前記電力変換ユニットと前記電力装置との少なくとも一方に弾性体を介して取り付けられ、前記電力変換ユニットからの突出部分の長さと前記電力装置からの突出部分の長さとの合計が、前記制御用コネクタの前記電力変換ユニットからの突出部分の長さと前記電力装置からの突出部分の長さとの合計よりも長い
ことを特徴とする、電源コネクタ。
【請求項２】
前記電力変換ユニットと前記電力装置との接続動作において、前記電力用コネクタの接続部が接触した後に、前記制御用コネクタの接続部が接触することを特徴とする請求項１に記載の電源コネクタ。
【請求項３】
前記電力変換ユニットと前記電力装置との抜去動作において、前記制御用コネクタの接続部が離れた後に、前記電力用コネクタの接続部が離れることを特徴とする請求項１に記載の電源コネクタ。
【請求項４】
前記制御用コネクタは、前記電力装置から、前記電力変換ユニットに制御信号を供給することを特徴とする請求項１乃至３のいずれか１項に記載の電源コネクタ。
【請求項５】
前記制御用コネクタは、前記電力装置から、前記電力変換ユニットに制御電源を供給することを特徴とする請求項１乃至３のいずれか１項に記載の電源コネクタ。
【請求項６】
前記弾性体は、バネであることを特徴とする請求項１乃至５のいずれか１項に記載の電源コネクタ。
【発明の詳細な説明】
【技術分野】
【０００１】
本発明は、コネクタに関し、より詳細には、電力及び制御電源、制御信号用の端子を備えた電源コネクタに関する。
【背景技術】
【０００２】
装置に求められる機能をユニット化して、必要に応じて増設するブレードサーバのような装置がある。ブレードサーバでは、情報処理量や蓄積するデータ量に応じてユニットを増設する。また、通信設備用途で利用される交流電力を通信装置が利用する直流電力に変換する直流電源装置においても、通信装置の増加により通信装置が利用する直流電力量に合わせて、電力変換ユニットを増設する。
【０００３】
従来装置及び従来ユニットに搭載されている電源コネクタは電源供給状態におけるユニットの活線挿抜対策は考慮されておらず、ユニットを活線挿抜すると、接触時にパッケージに電流が流れることや、電流が流れている電路を開路することにより、アークが発生し、ユニットに搭載されているＩＣが誤作動を引き起こす、コネクタが焼損する等、装置の故障を引き起こす可能性があった。
【０００４】
各機能ブロック間が信号線を共有し、バス結合されているようなユニットを利用する場合、この問題を解決するためには、図１に記載の電源コネクタが提案されている。図１に記載の電源コネクタ１００は、コネクタ４内に異なる長さのピン４ａ、４ｂを配置し、短いピン４ｂの接続が先に開放されることで、長いピン４ａの接続が開放される前に、長いピン４ａを経由して供給されている電力の回路を遮断するという特徴を有する。
【０００５】
このコネクタは、押し込み動作において、コネクタの長ピン４ａ及び短ピン４ｂの対応するコネクタ受け口２のピン２ａ、２ｂと接触する時間差（Ｔ）が生じる。これにより電源供給中のユニットへパッケージを挿入する際に問題となっていたＩＣの誤動作とコネクタが焼損することを防止している。
【先行技術文献】
【特許文献】
【０００６】
【特許文献１】特開平７−１５３５３６号公報
【発明の概要】
【発明が解決しようとする課題】
【０００７】
しかし、図１に記載の電源コネクタ１００は、コネクタ受け口２のピン２ｂを、コネクタ側の短いピン４ｂに対しても確実に接続するために、コネクタ受け側のピン２ａ、２ｂを長くする必要があり、挿抜に伴う長いピンの損傷や、コネクタ側の長いピン４ａが接続される際のフリクションにより、短いピン４ｂが完全に接続されない恐れがある等の課題が存在する。
【課題を解決するための手段】
【０００８】
本発明の電源コネクタは、電力変換ユニットと電力装置とを接続するコネクタであって、電力配線を接続するための対となる接続部を有する電力用コネクタであって、前記電力変換ユニットと前記電力装置との双方に取り付けられる、電力用コネクタと、制御信号配線を接続するための対となる接続部を有する制御用コネクタであって、前記電力変換ユニットと前記電力装置との双方に固定された状態で取り付けられる、制御用コネクタと、
を備え、前記電力用コネクタと制御用コネクタとは、電力変換ユニットと電力装置とを接続する方向に対して並列に配置され、前記電力用コネクタは、前記電力変換ユニットと前記電力装置との少なくとも一方に弾性体を介して取り付けられ、前記電力変換ユニットからの突出部分の長さと前記電力装置からの突出部分の長さとの合計が、前記制御用コネクタの前記電力変換ユニットからの突出部分の長さと前記電力装置からの突出部分の長さとの合計よりも長いことを特徴とする。
【０００９】
また、本発明の電源コネクタは、前記電力変換ユニットと前記電力装置との接続動作において、前記電力用コネクタの接続部が接触した後に、前記制御用コネクタの接続部が接触することを特徴とする。
【００１０】
また、本発明の電源コネクタは、前記電力変換ユニットと前記電力装置との抜去動作において、前記制御用コネクタの接続部が離れた後に、前記電力用コネクタの接続部が離れることを特徴とする。
【００１１】
また、本発明の電源コネクタの前記制御用コネクタは、前記電力装置から、前記電力変換ユニットに制御信号を供給することを特徴とする。
【００１２】
また、本発明の電源コネクタの前記制御用コネクタは、前記電力装置から、前記電力変換ユニットに制御電源を供給することを特徴とする。
【００１３】
また、本発明の電源コネクタの前記弾性体は、バネであることを特徴とする。
【発明の効果】
【００１４】
電力及び電源装置、制御信号用の端子を備えたコネクタにおいて、運転中の装置を、アークを発生することなく取り外すことを可能にするとともに、電力交換ユニットと電力装置間のコネクタの形状の制限をなくすことを可能にする。
【図面の簡単な説明】
【００１５】
【図１】従来の電源コネクタ１００の構造を示す図である。
【図２】本発明の一実施形態にかかる電源コネクタ２００の構造を示す図である。
【図３】電源コネクタ２００の接続・抜去動作の様子を示す図である。
【発明を実施するための形態】
【００１６】
図２は、本発明の電源コネクタの１の実施形態を示す図である。本発明の電源コネクタ２００は、マザーボード及び制御用電源等を有する電力装置等の第１の装置２１０と、制御部及び機能部等を有し、サブユニットとなる電力変換ユニット等の第２の装置２２０とを接続するコネクタである。第１の装置２１０は第２の装置２２０に制御電源もしくは制御信号を供給する装置であり、第２の装置２２０は、第１の装置２１０からの制御電源もしくは制御信号がなければ運転できない装置である。
【００１７】
図２の電源コネクタ２００は、第１の装置２１０および第２の装置２２０に取り付けられた、制御電源線もしくは制御信号線等の制御配線を接続する制御用コネクタ２１１、２２１と、第１の装置２１０および第２の装置２２０に取り付けられた電力配線を接続する電力用コネクタ２１２、２２２とから構成される。コネクタ２１１とコネクタ２１２は装置２１０の装置２２０と接続する側に並列に配置され、また、コネクタ２２１とコネクタ２２２は装置２２０の装置２１０と接続する側に並列に配置されている。
【００１８】
制御用コネクタ２１１は第１の装置２１０に固定され、コネクタ２２１は第２の装置に固定されている。コネクタ２１１及びコネクタ２２１は、第１の装置２１０と第２の装置２２０が完全に接続されたときに、接続部２１１ａと２２１ａが接触することにより電気的に接続され、第１の装置２１０から第２の装置２２０に制御電源もしくは制御信号を供給する。
【００１９】
電力用コネクタ２２２は、第２の装置２２０に固定されている。一方で、コネクタ２１２は、弾性体２１３を介して第１の装置２１０に取り付けられており、各装置の接続方向に対して前後に可動する仕組みとなっている。弾性体２１３が完全に伸びた状態で、コネクタ２１２の装置２１０からの突出部分の長さとコネクタ２２２の装置２２０からの突出部分の合計の長さは、コネクタ２１１の装置２１０からの突出部分の長さとコネクタ２２１の装置２２０からの突出部分の合計の長さよりも長く設定されている。これにより第１の装置２１０と第２の装置２２０とを接続する際に、コネクタ２１２の接触部２１２ａ及びコネクタ２２２の接触部２２２ａとは、コネクタ２１１の接触部２１１ａとコネクタ２２１の接触部２２１ａとが接触するよりも先に接触するようにすることができる。コネクタ２１２及びコネクタ２２２は、第１の装置２１０と第２の装置２２０とが接続されたときに、接続部２１２ａと２２２ａが接触することにより電気的に接続され、第２の装置２２０から第１の装置２１０に電力を戻す。
【００２０】
なお、本実施形態では、弾性体２１３を第１の装置２１０側に取り付けているが、弾性体は第２の装置と電力用コネクタ２２２との間に配置し、第２の装置側の電力線用コネクタ２２２を可動するようにしても良い。また、双方の電力用コネクタ２２１、２２２が稼動するような構成にすることもできる。なお、本実施形態では、弾性体２１３はバネを使用しているが、本発明においてはこれに限定されない。
【００２１】
さらに、本実施例においては電源コネクタは正極と負極が一緒になっているもので示しているが、各電極をそれぞれ別のコネクタにしても良い。この場合は、各々のコネクタに弾性体を設ける。ただし、それぞれの弾性体の長さは同一である必要はない。
【００２２】
次に、図２に記載のコネクタ２００の接続・抜去動作について説明する。図３は、図２に記載のコネクタ２００の接続・抜去の動作を説明した図である。図３ａはコネクタ２００の接続前・抜去後、図３ｂは接続・抜去中、図３ｃは接続後・抜去前の様子を表す。
【００２３】
まず、コネクタ２００の接続動作について説明する。図３ａにおいて、装置２１０と２２０が接続されていない状態であるので、弾性体２１３が完全に伸びている状態で、コネクタ２１２は制御用コネクタ２１１の先端よりも突出している。しかし図３ｂにおいて、第１の装置２１０と第２の装置２２０との接続が開始されると、コネクタ２１１の接続部２１１ａとコネクタ２２１の接続部２２１ａとが接触するよりも先に、コネクタ２１２の接続部２１０ａは、コネクタ２２２の接続部２２２ａと接触し、その後、図３ｃに示すようにコネクタ２１１の接続部２１１ａとコネクタ２２１の接続部２２１ａとが完全に接触するまでコネクタ２２２の接続部２２２ａと接触した状態で弾性体２１３を圧縮する。
【００２４】
次にコネクタ２００の抜去動作について説明する。図３ｃから図３ｂのように第１の装置２１０から第２の装置２２０を抜去する際に、電力用コネクタ２１２と装置２１０との間に配置された弾性体２１３が伸びることにより、制御用コネクタ２１１の接続部２１１ａ及びコネクタ２２１の接続部２２１ａが電力用コネクタ２１２の接続部２１２ａ及びコネクタ２２２の接続部２２２ａよりも先に引き離され、その後、コネクタ２１２の接続部２１２ａとコネクタ２２２の接続部２２２ａが引き離される。したがって、制御用コネクタが引き離された時点でも電力用コネクタの接続は維持される。図３ａに示す第１の装置２１０と第２の装置２２０との引きはずし完了までの間に、装置２１０は、制御電源もしくは制御信号の開放を検知し、電力変換ユニットを停止することで、無電流の状態にて第１の装置２１０と第２の装置２２０とを引きはずすことができる。
【００２５】
これにより、長くて損傷しやすいピンを有する接続部を用いることなく、電力用コネクタの接続が開放される前に制御用コネクタを開放することが可能となり、制御用コネクタの開放に連動して電力用コネクタを経由して供給される電力を遮断することにより、ピンの損傷やコネクタ間の接続不良を防ぎつつアークの発生を防止することが可能となる。
【符号の説明】
【００２６】
１００、２００  電源コネクタ
２  コネクタ受口
４  コネクタ
２ａ、２ｂ、４ａ、４ｂ  ピン
２１０  第１の装置
２２０  第２の装置
２１１、２２１  制御用コネクタ
２１２、２２２  電力用コネクタ
２１１ａ、２１２ａ、２２１ａ、２２２ａ  接続部
２１３  弾性体
【図１】
2014102927.tif 000003
【図２】
2014102927.tif 000004
【図３】
2014102927.tif 000005